(57)【要約】      （修正有）【課題】ソーラーパネルを備えることが可能な救難救助リュックサックを提供する。【解決手段】救難救助リュックサックは、リュックサック本体、第一収納袋、第二収納袋、密封救急箱、第三収納袋及びソーラー充電装置を備える。第一収納袋は、固定端及び開閉端を有し、リュックサック本体の上部に接続される。固定端は、第一ソーラーパネルを備え、開閉端は、第二ソーラーパネルを備える。第二収納袋は、密封救急箱を収納し、リュックサック本体の表面に接続される。第三収納袋は、ソーラー充電装置を収納し、リュックサック本体の側面に接続される。ソーラー充電装置は、第一ソーラーパネル及び第二ソーラーパネルに接続され、入力電力を受け取り充電電力を出力する。【選択図】図１
0003170229.tif 000002
【実用新案登録請求の範囲】
【請求項１】
背面に２つのショルダーストラップを備えるリュックサック本体と、
前記リュックサック本体の上面に接続され、固定端及び開閉端を備える第一収納袋と、
前記固定端に設置される第一ソーラーパネルと、
前記開閉端に設置される第二ソーラーパネルと、
前記リュックサック本体の表面に接続される第二収納袋と、
前記第二収納袋に収納される密封救急箱と、
前記リュックサック本体の側面に接続される第三収納袋と、
前記第三収納袋に収納され、前記第一ソーラーパネル及び第二ソーラーパネルに接続され、入力電力を受け取り充電電力を出力するソーラー充電装置と、を備え、
前記開閉端は、開閉する際に前記固定端と接続することが可能であり、
前記第一ソーラーパネルと前記第二ソーラーパネルは、受光した太陽エネルギーを入力電力に変換することが可能である
ことを特徴とする救難救助リュックサック。
【請求項２】
前記固定端及び前記開閉端は、ボタン、ファスナー、磁石或いはマジックテープである結合部によって接続されることにより収納動作を完了することを特徴とする請求項１に記載の救難救助リュックサック。
【請求項３】
前記密封救急箱の内容物は、生理食塩水注射液、三角巾、止血帯、綿棒、傷口消毒液、はさみ、テープ、バンテージ、ガーゼ、温度計、ピンセット及び懐中電灯のうち少なくとも１つ、或いはその組み合わせであることを特徴とする請求項１に記載の救難救助リュックサック。
【請求項４】
前記ソーラー充電装置は、制御器、バッテリー及び電源端子を備え、
前記制御器は、前記入力電力を前記充電電力に変換し、前記バッテリーに蓄えることが可能であり、
前記バッテリーは、前記電源端子から前記充電電力を電気機器に出力することを特徴とする請求項１に記載の救難救助リュックサック。
【請求項５】
前記制御器は、交流電力を前記充電電力に変換し、前記バッテリーに蓄えることが可能であり、前記電気機器は携帯電話、懐中電灯、ＧＰＳ、音楽プレイヤー、デジタルカメラ、携帯型警報器或いは生命情報センサであることを特徴とする請求項４に記載の救難救助リュックサック。
【請求項６】
前記ソーラー充電装置は、充電器を更に備え、
前記バッテリーは、前記充電器から前記充電電力をバッテリーユニットに出力することが可能であり、
前記バッテリーユニットは、二次電池であり、
前記２つのショルダーストラップの外表面は、それぞれ第四収納袋或いは収納部を備え、
前記第三収納袋は、前記電源端子と前記充電器にそれぞれ対応する開け口と、当該開け口に対応する開閉蓋とを備えることを特徴とする請求項４に記載の救難救助リュックサック。
【請求項７】
前記固定端の底面は、前記リュックサック本体の上面に固定され、
前記開閉端の第一面は、前記固定端の上面と対応しており、
前記開閉端の第一面と前記固定端の上面は、閉じた状態に於いて収納空間を形成し、開いた状態に於いて前記リュックサック本体の上方を向いており、
前記開閉端の台面は、連結部を備え、
前記連結部は、前記リュックサック本体の上面の対応連結部に対応しており、
前記連結部及び前記対応連結部は、ボタン、磁石或いはマジックテープであることを特徴とする請求項２に記載の救難救助リュックサック。
【請求項８】
背面に２つのショルダーストラップを備えるリュックサック本体と、
前記リュックサック本体の上面に接続され、固定端及び開閉端を備える第一収納袋と、
前記固定端に設置される第一ソーラーパネルと、
前記開閉端に設置される第二ソーラーパネルと、
前記リュックサック本体の表面に接続される第二収納袋と、
前記第二収納袋に収納される密封救急箱と、
前記リュックサック本体の側面に接続される第三収納袋と、
前記第三収納袋に収納され、前記第一ソーラーパネル及び第二ソーラーパネルに接続され、入力電力を受け取り充電電力を出力するソーラー充電装置を備え、
前記開閉端は、開閉する際に前記固定端と接続することが可能であり、
前記第一ソーラーパネルと前記第二ソーラーパネルは、受光した太陽エネルギーを入力電力に変換することが可能であり、
前記第一ソーラーパネル、前記第二ソーラーパネル及び前記ソーラー充電装置の内、少なくとも１つは、前記リュックサック本体と着脱可能である
ことを特徴とする救難救助リュックサック。
【考案の詳細な説明】
【技術分野】
【０００１】
本考案は、救難救助リュックサックに関し、より詳しくは、ソーラーパネルを備える救難救助リュックサックに関する。
【背景技術】
【０００２】
登山者は、登山時に懐中電灯、カメラ、暖房器具、通信機などの電気を必要とする装備をリュックサックに入れ携帯する。しかし、登山途中に携帯している電気を必要とする装備の電力が底をついた場合、充電する手段が無い。そのため、登山前に大量の電池を準備しなければ、これらの機器を長時間使用することができず、これにより登山者の重量上の負担が増えると共に、環境にも良くない。
【０００３】
また、一般的なリュックサックには特定の救急用品の収納を目的とする収納空間が備えられていないため、登山者が持って行く救急用品が不十分で、登山中にけがをした場合等に、最善の処置が施せないことがある。
【考案の概要】
【考案が解決しようとする課題】
【０００４】
従来のリュックサックは、物を収納する用途でのみ使用されるが、本考案の救難救助リュックサックは、構造上の改良により、ソーラーパネルを備えることが可能であり、太陽光線を電力として蓄えることが可能である。更に、特定の密封救急箱を収納することが可能である。
【課題を解決するための手段】
【０００５】
本考案の救難救助リュックサックは、リュックサック本体、第一収納袋、第二収納袋、密封救急箱、第三収納袋及びソーラー充電装置を備える。前記リュックサック本体の背面には２つのショルダーストラップを備える。前記第一収納袋は、固定端及び開閉端を有し、前記リュックサック本体の上部に接続される。前記開閉端は、開閉する際に前記固定端と接続することが可能である。前記固定端は、第一ソーラーパネルを備え、前記開閉端は、第二ソーラーパネルを備える。前記第一ソーラーパネル及び前記第二ソーラーパネルは、受光した光を入力電力に変換する。前記第二収納袋は、前記密封救急箱を収納し、前記リュックサック本体の表面に接続される。前記第三収納袋は、前記ソーラー充電装置を収納し、前記リュックサック本体の側面に接続される。前記ソーラー充電装置は、前記第一ソーラーパネル及び第二ソーラーパネルに接続され、前記入力電力を受け取り充電電力を出力する。
【考案の効果】
【０００６】
本考案の救難救助リュックサックは、ソーラーパネルを備えることにより太陽光線を受光することができる。また、密封救急箱を備えることで、より充実した救急用品を提供できる。更に、受光した太陽光線を利用して電気機器或いはバッテリーを充電することが可能である。
【図面の簡単な説明】
【０００７】
【図１】本考案の実施例を示す外観説明図１である。
【図２】本考案の実施例を示す外観説明図２である。
【図３】本考案の実施例を示す外観説明図３である。
【図４】本考案の実施例を示す外観説明図４である。
【図５】本考案の実施例を示す外観説明図５である。
【図６】本考案の実施例を示す外観説明図６である。
【図７】本考案の回路の運用を示すフローチャートである。
【考案を実施するための形態】
【０００８】
図１は、本考案の実施例を示す外観説明図１である。救難救助リュックサック１は、リュックサック本体１０、第一収納袋１０６、第二収納袋１１０、密封救急箱１１１、第三収納袋１１２及びソーラー充電装置１１３を備える。リュックサック本体１０は、背面１０１（図３に示す）、表面１０２、２つの側面１０３、上面１０４及び底面１００を有し、背面１０１は、使用者が背負う際に利用する２つのショルダーストラップ１０５（図３に示す）を備える。なお、図１が示すリュックサック本体１０の外観は、本考案を制限するものではない。
【０００９】
リュックサック本体１０は、内部に物品を収納するための収納空間（図示せず）を有する。第二収納袋１１０は、密封救急箱１１１を収納するのに利用され、リュックサック本体１０の表面１０２に接続される。第三収納袋１１２は、ソーラー充電装置１１３を収納するのに利用され、リュックサック本体１０の側面１０３に接続される。密封救急箱１１１の内容物は、生理食塩水注射液、三角巾、止血帯、綿棒、傷口消毒液、はさみ、テープ、バンテージ、ガーゼ、温度計、ピンセット及び懐中電灯のうち少なくとも１つ、または、その組み合わせであるが、密封救急箱１１１の内容物は、本考案の範囲を限定するものではなく、救急に利用できるものであればよい。
【００１０】
第一収納袋１０６は、リュックサック本体１０の上面１０４に接続される。第一収納袋１０６は、固定端１０６０及び開閉端１０６２を有する。開閉端１０６２は、開閉する際に固定端１０６０と接続することが可能である。具体的に説明すると、固定端１０６０の底面Ｓ１は、リュックサック本体１０の上面１０４に固定接続されており、開閉端１０６２の第一面Ｓ３は、固定端１０６０の上面Ｓ２と対応している。開閉端１０６２と固定端１０６０が閉じた状態において、開閉端１０６２の第一面Ｓ３と固定端１０６０の上面Ｓ２の間には収納空間が形成される。
【００１１】
固定端１０６０と開閉端１０６２は、結合部１０９により閉じられることで、収納動作を完了する。結合部１０９は、ボタン、ファスナー磁石或いはマジックテープであるが、本考案は、これに限定されず、固定端１０６０と開閉端１０６２を閉じることが可能である技術であればよい。
【００１２】
図２は、本考案の実施例を示す外観説明図２である。開閉端１０６２の第二面Ｓ４は、連結部１０６４を備える。連結部１０６４は、開閉端１０６２及び固定端１０６０が開いた状態において、リュックサック本体１０の上面１０４上の対応連結部１０４２と接続される。これにより固定端１０６０の上面Ｓ２と開閉端１０６２の第一面Ｓ３は、リュックサック１０の上方を向くことが可能となる。連結部１０６４と対応連結部１０４２は、ボタン、磁石或いはマジックテープであるが、本考案は、これに限定されず、開閉端１０６２の第二面Ｓ４をリュックサック本体１０の上面１０４と接続することが可能である技術であればよい。
【００１３】
固定端１０６０の上面Ｓ２は、第一ソーラーパネル１０７を備え、開閉端１０６２の第一面Ｓ３は、第二ソーラーパネル１０８を備える。これにより、開閉端１０６２と固定端１０６０が開いた状態において、第一ソーラーパネル１０７と第二ソーラーパネル１０８は、有効的に太陽光線を受光し、入力電力Ｖｉ（図７に示す）に変換することが可能である。第一ソーラーパネル１０７と第二ソーラーパネル１０８の種類は、単結晶パネル、多結晶パネル、或いは非結晶パネルであるが、本考案は、これに限定されず、太陽光線を入力電力に変換可能な技術であればよい。
【００１４】
図６は、本考案の実施例を示す外観説明図６である。第一ソーラーパネル１０７、第二ソーラーパネル１０８及びソーラー充電装置１１３は、全て着脱可能であり、コネクタを備えることで、金属端子または電導回路といった方法により互いに電気的に接続される。第一ソーラーパネル１０７、第二ソーラーパネル１０８及びソーラー充電装置１１３の着脱方法は、ボタン、磁石或いはマジックテープを利用することで実現されるが、これに限定されない。
【００１５】
第一ソーラーパネル１０７は、マジックテープ（図示せず）によりリュックサック１０の固定端１０６０の上面Ｓ２に着脱される。同様に、第二ソーラーパネル１０８もマジックテープ（図示せず）によりリュックサック１０の開閉端１０６２の第一面Ｓ３に着脱される。ソーラー充電装置１１３もマジックテープ（図示せず）によりリュックサック本体１０の第三収納袋１１２内或いは第三収納袋１１２の外層に着脱される。
【００１６】
更に、第一ソーラーパネル１０７、第二ソーラーパネル１０８およびソーラー充電装置１１３は、少なくとも１つをリュックサック本体１０に脱着可能に設けることができる。例を挙げると、第一ソーラーパネル１０７のみがマジックテープ（図示せず）によってリュックサック本体１０に脱着可能に設けられ（図６の第一ソーラーパネル１０７は、固定端１０６０の上面Ｓ２上に装着される）、第二ソーラーパネル１０８とソーラー充電装置１１３は、取り外すことができない。同様に、第二ソーラーパネル１０８のみが脱着可能に設けられ、第一ソーラーパネル１０７とソーラー充電装置１１３は、取り外すことができない。或いは、第一ソーラーパネル１０７と第二ソーラーパネル１０８は脱着可能に設けられ、ソーラー充電装置のみが取り外しできない、等である。
【００１７】
図７は、本考案の回路の運用を示すフローチャートである。ソーラー充電装置１１３は、第一ソーラーパネル１０７と第二ソーラーパネル１０８に接続されており、入力電力Ｖｉを受け取り、受け取った入力電力Ｖｉにより、充電電力Ｖｏを出力する。ソーラー充電装置１１３は、制御器１１３０、バッテリー１１３６及び電源端子１１３２を備える。制御器１１３０は、入力電力Ｖｉを充電電力Ｖｏに変換し、バッテリー１１３６に充電電力Ｖｏを保存する。バッテリー１１３６は、電源端子１１３２から充電電力Ｖｏを電気機器２に出力する。更に、制御器１１３０は交流電力ＡＣを充電電力Ｖｏに変換し、バッテリー１１３６に充電電力Ｖｏを保存する。
【００１８】
制御器１１３０は、一般的なＤＣ−ＤＣコンバータ或いはＡＣ−ＤＣコンバータであり、入力電力Ｖｉを加圧或いは減圧し、異なる電気機器２に必要な充電電力Ｖｏを供給する。電気機器２は、携帯電話、懐中電灯、ＧＰＳ、音楽プレイヤー、デジタルカメラ、携帯型警報器或いは生体情報センサ等の電気機器である。前記警報器は、音や光等で救難信号を発することが可能である。
【００１９】
ソーラー充電装置１１３は、充電器１１３４を更に備える。バッテリー１１３６は、充電器１１３４により充電電力Ｖｏを充電ユニット３に出力する。充電ユニット３は、二次電池である。前記二次電池は一般的な鉛蓄電池、ニッカド電池、ニッケル・水素充電池、リチウムイオン電池或いはリチウムアイロン電池等である。
【００２０】
ソーラー充電装置１１３は、第三収納袋１１２に収納される。第三収納袋１１２は、電源端子１１３２と充電器１１３４それぞれに対応する開け口１１２０、１１２２を有する。これにより、使用者は、電気機器２を電源端子１１３２に接続することで、手軽にバッテリーユニット３を充電器１１３４に設置することが可能である。
【００２１】
第三収納袋１１２は、開閉蓋１１２４を更に備える。開閉蓋１１２４の一端は、第三収納袋１１２の上表面に接続され、開閉蓋は、第三収納袋１１２の上表面で開け口１１２２に対応するよう開閉することが可能である。開閉蓋１１２４の他端は、連結部（図示せず）により第三収納袋１１２の上表面に接続され、開け口１１２２を覆うことが可能であり、これにより充電器１１３４を保護することができる。
【００２２】
図４は、本考案の実施例を示す外観説明図４である。リュックサック本体１０上の２つのショルダーストラップ１０５の外表面は、それぞれ第四収納袋１１４を備える。第四収納袋１１４は、電気機器２を収納するのに利用する。使用者が救難救助リュックサック１を背負った際、第四収納袋１１４は、使用者の胸の前に位置するため、使用者は容易に第四収納袋１１４から携帯電話やカメラ等の電気機器２を取りだすことが可能である。更に、リュックサック本体１０上にある２つのショルダーストラップ１０５は、収納部１１５を有し、電気機器２を収納することが可能である（図５に示す）。
【符号の説明】
【００２３】
１        救難救助リュックサック
１０      リュックサック本体
１００    底面
１０１    背面
１０２    表面
１０３    側面
１０４    上面
１０４２  対応連結部
１０５    ショルダーストラップ
１０６    第一収納袋
１０６０  固定端
１０６２  開閉端
１０６４  連結部
Ｓ１      底面
Ｓ２      上面
Ｓ３      第一面
Ｓ４      第二面
１０７    第一ソーラーパネル
１０８    第二ソーラーパネル
１０９    結合部
１１０    第二収納袋
１１１    密封救急箱
１１２    第三収納袋
１１２０、１１２２  開け口
１１２４  開閉蓋
１１３    ソーラー充電装置
１１３０  制御器
１１３２  電源端子
１１３４  充電器
１１３６  バッテリー
Ｖｉ      入力電力
Ｖｏ      充電電力
１１４    第四収納袋
１１５    収納部
２        電気機器
３        バッテリーユニット
ＡＣ      交流電力
【図１】
0003170229.tif 000003
【図２】
0003170229.tif 000004
【図３】
0003170229.tif 000005
【図４】
0003170229.tif 000006
【図５】
0003170229.tif 000007
【図６】
0003170229.tif 000008
【図７】
0003170229.tif 000009